(57)【要約】【課題】安価にして効率よく不要輻射を遮蔽することのできる、高圧放電灯を提供する。【解決手段】光源装置１０は、発光管２８内において発生した不要輻射を遮蔽する遮蔽層２２を有する。光学機器に組み込まれた光源装置１０の高圧放電灯１６を点灯させると、発光管２８内の電極４０において放電が生じ、放電に伴なって不要輻射が発生する。しかし、この不要輻射は、光源装置１０に設けられた遮蔽層２２によって遮蔽されるので、不要輻射が光学機器の外部へ漏れる心配はない。したがって、光学装置１０を搭載した光学エンジンの筐体部に遮蔽部材を取り付ける必要性を軽減できる。【選択図】              図１
2004362864.tif 000002
【特許請求の範囲】
【請求項１】
発光管を有する高圧放電灯と、前記発光管内において発生した光を反射するリフレクタと、前記発光管内において発生した電磁波を遮蔽する遮蔽手段とを備える、光源装置。
【請求項２】
前記高圧放電灯および前記リフレクタを収容するランプハウスを備え、前記ランプハウスに前記遮蔽手段を設けた、請求項１に記載の光源装置。
【発明の詳細な説明】
【０００１】
【発明の属する技術分野】
この発明は、プロジェクションテレビ等のような光学機器に適用される高圧放電灯を用いた光源装置であって、発光管内において発生した電磁波を遮蔽する機能を有する光源装置に関する。
【０００２】
【従来の技術】
プロジェクションテレビ等のような光学機器の光源装置には、高圧放電灯が一般に用いられているが、高圧放電灯においては、発光管内の電極間で電磁波（以下、「不要輻射」という。）が発生するため、不要輻射が光学機器の外部へ漏れるのを防止する必要がある。つまり、不要輻射が光学機器の外部へ漏れると、テレビの画像やラジオの音声にノイズを与える等の弊害を生じるため、光学機器内において不要輻射を遮蔽する必要がある。たとえば、アメリカ合衆国においては、不要輻射の漏洩量が連邦通信委員会（ＦＣＣ）の定める基準を満たさなければならないとされている。
【０００３】
そこで、従来では、図６に示すように、光源装置１を搭載した光学エンジン２の筐体部３に不要輻射を遮蔽するための遮蔽部材４を取り付けるようにしていた。
【０００４】
【発明が解決しようとする課題】
光源装置１（図６）は、光学エンジン２の内部に組み込まれるため、光学エンジン２の筐体部３は、光源装置１に比べてはるかに大きくなる。一方、不要輻射は光源装置１を構成する高圧放電灯の発光管内で発生するため、発光管を取り囲むようにして遮蔽部材４を設けることが不要輻射対策となる。
【０００５】
したがって、光学エンジン２の筐体部３に遮蔽部材４を取り付けるようにしていた従来技術では、遮蔽部材４の面積を大きくする必要があり、コスト高であるという問題があった。また、不要輻射がある程度拡散したところでこれを遮蔽するようにしていたので、遮蔽効率が悪いという欠点もあった。
【０００６】
それゆえに、この発明の主たる目的は、安価にして効率よく不要輻射を遮蔽することのできる、光源装置を提供することである。
【０００７】
【課題を解決するための手段】
請求項１に記載した発明は、「発光管を有する高圧放電灯と、発光管内において発生した光を反射するリフレクタと、発光管内において発生した電磁波を遮蔽する遮蔽手段とを備える、光源装置」である。
【０００８】
この発明では、光源装置が遮蔽手段を有するので、光学エンジンの筐体部に遮蔽部材を別途取り付ける必要性を軽減できる。
【０００９】
請求項２に記載した発明は、請求項１に記載した光源装置において、「高圧放電灯およびリフレクタを収容するランプハウスを備え、ランプハウスに遮蔽手段を設けた、光源装置」である。
【００１０】
この発明は、請求項１に記載した発明において、遮蔽手段をランプハウスに設けた態様に関するものである。
【００１１】
【発明の実施の形態】
図１は、本発明が適用された光源装置１０を示す断面図である。この光源装置１０（図１）は、図２に示すように、光学機器１２を構成する光学エンジン１４に搭載して用いられるものであり、高圧放電灯１６，リフレクタ１８，フロントカバー２０および電磁気的な「遮蔽手段」としての遮蔽層２２等を備える。
【００１２】
なお、図２に示した光学機器１２は、光学エンジン１４から投射された映像を反射鏡２４で反射させてスクリーン２６の背面から投影するようにしたプロジェクションテレビであるが、光源装置１０が適用される光学機器１２としては、プロジェクションテレビの他にプロジェクター等を例示することができる。
【００１３】
光源装置１０（図１）を構成する高圧放電灯１６は、球状の発光管２８とその両端からストレートに延びた円筒状の封止部３０とを有する封体容器３２を備える。そして、封体容器３２における各封止部３０の内部には、一端が発光管２８の内部空間へ突出した電極棒３４と、一端が外部へ突出したリード棒３６と、電極棒３４の他端とリード棒３６の他端とを電気的に接続するモリブデン箔３８とが配設され、各電極棒３４の一端には、一対のタングステン電極（以下、単に「電極」という。）４０を構成する陽極４０ａおよび陰極４０ｂが接続される。そして、発光管２８の内部には、水銀，アルゴン等の希ガス、およびＩ（ヨウ素），Ｂｒ（臭素），Ｃｌ（塩素），Ｆ（弗素）等のうち少なくとも１つのハロゲン（金属ハロゲン化物またはハロゲンガス等）が封入される。
【００１４】
なお、図１に示した高圧放電灯１６は、ダブルエンド型で直流点灯式の超高圧水銀放電灯であるが、これに代えて、交流点灯式の超高圧水銀放電灯，シングルエンド型の超高圧水銀放電灯またはメタルハライドランプ等を用いるようにしてもよい。
【００１５】
リフレクタ１８は、高圧放電灯１６の発光管２８内において発生した光を所定方向へ反射させるものであり、反射面を有する半球状の本体部４２と、本体部４２の中央部に取り付けられたホルダ４４とを備える。そして、リフレクタ１８における本体部４２およびホルダ４４の外面には、遮蔽層２２が設けられる。
【００１６】
遮蔽層２２は、発光管２８内において発生した不要輻射を遮蔽するものであり、たとえば銅板からなる下地の上にニッケル層を形成したものである。ただし、遮蔽層２２は、不要輻射を遮蔽し得る導電性材料（銅，鉄等）またはフェライト等の磁気損失材料で形成されたものであればよく、その具体的態様は本実施例に限定されるものではない。たとえば、導電性塗料をリフレクタ１８の外面に塗布することによって遮蔽層２２を形成するようにしてもよい。
【００１７】
高圧放電灯１６をリフレクタ１８のホルダ４４に取り付けた状態では、陽極４０ａ側のリード棒３６の一端がホルダ４４を突き抜けて外部へ突出され、陰極４０ｂ側のリード棒３６の一端が導電線４６の一端に接続され、導電線４６の他端がリフレクタ１８の側壁を突き抜けて外部へ突出される。
【００１８】
フロントカバー２０は、リフレクタ１８の反射面や高圧放電灯１６を保護するためにリフレクタ１８の開口を覆うものであり、ガラス等のような耐熱性の透明材料により形成される。そして、このフロントカバー２０の外周部がリフレクタ１８の開口端部に接着される。
【００１９】
光源装置１０を光学機器１２の光学エンジン１４に搭載する際には、光学エンジン１４に組み込まれたランプハウス４８の内部に光源装置１０を取り付ける。そして、光学機器１２のスイッチをオンして光源装置１０の発光管２８を発光させると、光学エンジン１４から映像が投射され、この映像が反射鏡２４で反射されてスクリーン２６へ投影される。このとき、発光管２８内においては、電極４０における放電に伴なって不要輻射が発生するが、この不要輻射は光源装置１０の遮蔽層２２によって遮蔽されるので、外部へ漏れる量は大幅に低減される。
【００２０】
この実施例によれば、光源装置１０が遮蔽層２２を有するので、光学エンジン１４の筐体部に遮蔽部材を別途取り付ける必要性を軽減できる。したがって、遮蔽手段の面積を縮小でき、遮蔽手段を設けるのに要するコストを低減できる。また、不要輻射の発生源に近いところでこれを遮蔽するようにしているので、遮蔽効率を高めることができる。
【００２１】
なお、上述の実施例では、光源装置１０におけるリフレクタ１８の外面に「遮蔽手段」としての遮蔽層２２を設けるようにしているが、たとえば、図３または図４に示すように、ランプハウス４８の内面または外面に「遮蔽手段」としての遮蔽部材５０を設けるようにしてもよい。これらの場合（図３，図４）には、高圧放電灯１６，リフレクタ１８，フロントカバー２０，ランプハウス４８および遮蔽部材５０を含めた構成を「光源装置５２」と称するようにしてもよい。
【００２２】
さらに、図５に示すように、ランプハウス４８を導電性材料で形成することによって、これを「遮蔽手段」として用いるようにしてもよく、この場合（図５）には、高圧放電灯１６，リフレクタ１８，フロントカバー２０およびランプハウス４８を含めた構成を「光源装置５４」と称するようにしてもよい。
【００２３】
そして、光源装置５２（図３，図４）および５４（図５）においては、リフレクタ１８の外面に遮蔽層２２を設けてもよいし、設けなくてもよい。
【００２４】
【発明の効果】
請求項１に記載した発明によれば、光源装置の遮蔽手段によって不要輻射を遮蔽することができるので、光学エンジンの筐体部に遮蔽部材を別途取り付ける必要性を軽減できる。したがって、遮蔽手段の総面積を縮小でき、遮蔽手段を設けるのに要するコストを低減できる。また、発光管に近いところで不要輻射が拡散する前にこれを遮蔽することができるので、遮蔽効率を高めることができる。
【００２５】
請求項２に記載した発明によれば、ランプハウスに遮蔽手段を設けるようにしているので、光学エンジンの筐体部に遮蔽部材を別途取り付ける必要性を軽減できる。したがって、請求項１に記載した発明と同様に、コストを低減できるとともに遮蔽効率を高めることができる。
【図面の簡単な説明】
【図１】光源装置を示す断面図である。
【図２】光源装置が組み込まれた光学機器を示す断面図である。
【図３】他の光源装置（ランプハウス内面に遮蔽部材を設けたもの）を示す断面図である。
【図４】他の光源装置（ランプハウス外面に遮蔽部材を設けたもの）を示す断面図である。
【図５】他の光源装置（ランプハウス自体が遮蔽手段であるもの）を示す断面図である。
【図６】従来技術を示す断面図である。
【符号の説明】
１０…  光源装置
１２…  光学機器
１４…  光学エンジン
１６…  高圧放電灯
１８…  リフレクタ
２０…  フロントカバー
２２…  遮蔽層
２４…  反射鏡
２６…  スクリーン
２８…  発光管
４８…  ランプハウス
５０…  遮蔽部材
【図１】
2004362864.tif 000003
【図２】
2004362864.tif 000004
【図３】
2004362864.tif 000005
【図４】
2004362864.tif 000006
【図５】
2004362864.tif 000007
【図６】
2004362864.tif 000008